(57)【要約】【課題】本発明は、貼付面に対して垂直な面に取り付けられている操作パネルの向きを配置状況に応じて適宜変更することができるラベル貼付装置を提供することを課題とする。【解決手段】一対のフック２４と一対の位置決めリブ２５とを、本体フレーム１１の操作パネル取り付け面に形成された位置決め用開口４と係合させることによって、操作パネル２０を位置決めし、一対のネジ用穴２６を貫通させたそれぞれのネジをタップ５にそれぞれ螺入させることにより、操作パネル２０を本体フレーム１１に固定する。位置決め用開口４と、タップ５とは、複数箇所形成されており、操作パネル２０を通常位置と、通常位置から右に９０°回転させた状態と、通常位置から左に９０°回転させた状態と、通常位置から１８０°回転させた状態との４つの状態で本体フレーム１１に取り付けることができる。【選択図】        図１
2004352256.tif 000002
【特許請求の範囲】
【請求項１】
ラベルに印字するプリンタ手段と、該プリンタ手段よって印字されたラベルを保持して被貼付物に貼付する貼付手段とを有し、ラベルの貼付面に対して垂直な操作パネル取り付け面に操作パネルを取り付けられるラベル貼付装置であって、
前記操作パネルには、前記操作パネルを前記操作パネル取り付け面に位置決めするための係合手段と、前記操作パネルを前記操作パネル取り付け面に固定するためのネジ用穴とが形成され、
前記操作パネル取り付け面には、前記操作パネルの前記係合手段と係合することによって前記操作パネルを複数の異なる向きに位置決め可能な複数の位置決め用開口と、前記操作パネルが複数の異なる向きのいずれの向きに位置決めされても、前記操作パネルの前記ネジ用穴に対応する位置に配置された複数のタップとが形成されていることを特徴とするラベル貼付装置。
【請求項２】
前記操作パネルは、９０°毎に異なる方向にそれぞれ取り付け可能であることを特徴とする請求項１記載のラベル貼付装置。
【請求項３】
前記操作パネルの前記ネジ用穴は、前記操作パネルに設けられた蓋によって覆われる位置に形成されていることを特徴とする請求項１又は２記載のラベル貼付装置。
【発明の詳細な説明】
【０００１】
【発明の属する技術分野】
本発明は、段ボール箱等の被貼付物にラベルを貼付するラベル貼付装置に関し、特に本体フレームに操作パネルが取り付けられているラベル貼付装置に関する。
【０００２】
【従来の技術】
図４は、ラベル貼付装置の外観構成を示す斜視図である。
被貼付物にラベルを貼付する従来のラベル貼付装置１は、図４を参照すると、本体フレ−ム１１と、供給軸１２と、プリンタ部１３と、台紙巻き取り軸１４と、ラベル貼付機構１５とからなり、本体フレーム１１には、操作パネル１６が取り付けられている。
【０００３】
供給軸１２は、帯状台紙にラベルを所定間隔で仮着したラベル連続体をロ−ル状に巻回したロ−ル状ラベルを回転可能に支持するものである。プリンタ部１３は、ラベルに印字を行う印字機構と、帯状台紙からラベルを剥離する剥離機構と、ラベル連続体を移送する移送機構と、印字機構による印字および移送機構による移送を制御する制御回路とを有している。台紙巻き取り軸１４は、ラベルを剥離した後の帯状台紙を巻き取るためのものである。ラベル貼付機構１５は、プリンタ部１３によって印字されたラベルを吸着等の方法によって保持し、保持したラベルを搬送手段３によって搬送されてくる被貼付物２に貼付する貼付機構を有する。
【０００４】
このような従来のラベル貼付装置１は、被貼付物２を適宜間隔をもって載置して搬送する搬送手段３の近傍に設けられるものであり、図４に示すように、被貼付物２の上面をラベルの貼付面とすることが多いため、搬送手段３の上方に配置されることが多い。従って、操作パネル１６は、本体フレーム１１のラベルの貼付面に対して垂直な面に取り付けられ、操作者により操作パネル１６の確認および操作が容易に行えるように構成されている。
【０００５】
【特許文献１】
特開平０１−２０８１７１  号公報
【０００６】
【発明が解決しようとする課題】
図５は、従来のラベル貼付装置の配置状況に応じた操作パネルの向きを示す説明図である。
しかしながら、被貼付物２の側面にラベルを貼付するために、従来のラベル貼付装置１を搬送手段３の側方に配置する場合には、図５に示すように、配置する向きによって操作パネル１６の向きが横向きや反対向きになり、操作者による操作パネル１６の確認および操作が難しいものになってしまうという問題点があった。なお、図５（ａ）および（ｂ）は、搬送手段の側方に配置された従来のラベル貼付装置１を側方から見た状態を示し、図５（ｃ）は、搬送手段３の側方に配置された従来のラベル貼付装置１を上方から見た状態を示す。
【０００７】
特許文献１には、プリンタにおいて、操作盤の形状を正方形とし、プリンタ本体に設けられた正方形の開口に向きを変えてはめ込むことにより、操作盤の向きを９０°毎の４方向に選択可能にする技術が提案されているが、ラベル貼付装置においては、ラベルを被貼付物に貼付する際に振動が生じるため、貼付面に対して垂直に取り付けられている操作盤に特許文献１の技術を適用した場合には、操作盤が脱落してしまう可能性があると共に、操作盤の形状が正方形に制限されてしまい、設計の自由度が損なわれてしまう。
【０００８】
本発明は斯かる問題点を鑑みてなされたものであり、その目的とするところは、貼付面に対して垂直な面に取り付けられている操作パネルの向きを配置状況に応じて適宜変更することができ、ラベルを被貼付物に貼付する際に振動が生じても、操作パネルを確実に保持することができるラベル貼付装置を提供する点にある。
【０００９】
【課題を解決するための手段】
本発明は上記課題を解決すべく、以下に掲げる構成とした。
請求項１記載の発明の要旨は、ラベルに印字するプリンタ手段と、該プリンタ手段よって印字されたラベルを保持して被貼付物に貼付する貼付手段とを有し、ラベルの貼付面に対して垂直な操作パネル取り付け面に操作パネルを取り付けられるラベル貼付装置であって、前記操作パネルには、前記操作パネルを前記操作パネル取り付け面に位置決めするための係合手段と、前記操作パネルを前記操作パネル取り付け面に固定するためのネジ用穴とが形成され、前記操作パネル取り付け面には、前記操作パネルの前記係合手段と係合することによって前記操作パネルを複数の異なる向きに位置決め可能な複数の位置決め用開口と、前記操作パネルが複数の異なる向きのいずれの向きに位置決めされても、前記操作パネルの前記ネジ用穴に対応する位置に配置された複数のタップとが形成されていることを特徴とするラベル貼付装置に存する。
また請求項２記載の発明の要旨は、前記操作パネルは、９０°毎に異なる方向にそれぞれ取り付け可能であることを特徴とする請求項１記載のラベル貼付装置に存する。
また請求項３記載の発明の要旨は、前記操作パネルの前記ネジ用穴は、前記操作パネルに設けられた蓋によって覆われる位置に形成されていることを特徴とする請求項１又は２記載のラベル貼付装置に存する。
【００１０】
【発明の実施の形態】
以下、本発明の実施の形態を図面に基づいて詳細に説明する。
【００１１】
図１は、本発明に係るラベル貼付装置の実施の形態の操作パネルの構成を示す図であり、（ａ）は、正面図であり、（ｂ）は、（ａ）に示すＸ−Ｙ断面図である。図２は、本発明に係るラベル貼付装置の実施の形態の操作パネル取り付け面の構成を示す図である。
【００１２】
本実施の形態のラベル貼付装置１０は、従来のラベル貼付装置１と同様に、本体フレーム１１と、供給軸１２と、プリンタ部１３と、台紙巻き取り軸１４と、ラベル貼付機構１５とからなるが、本体フレーム１１に取り付けられる操作パネル２０の構成と、操作パネル２０を取り付ける面、すなわち本体フレーム１１の操作パネル取り付け面の構成とが従来と異なっている。
【００１３】
操作パネル２０は、図１を参照すると、液晶画面等の表示部２１と、第１の操作ボタン群２２と、第２の操作ボタン群２３とからなり、本体フレーム１１の操作パネル取り付け面に操作パネル２０を位置決めするための係合手段として、一対のフック２４と、一対の位置決めリブ２５とが形成されていると共に、本体フレーム１１の操作パネル取り付け面に操作パネル２０を固定するための一対のネジ用穴２６とが形成されている。図１（ｂ）に示すように、一対のフック２４と一対の位置決めリブ２５とを、本体フレーム１１の操作パネル取り付け面に形成された位置決め用開口４と係合させることによって、操作パネル２０を位置決めし、一対のネジ用穴２６を貫通させたそれぞれのネジをタップ５にそれぞれ螺入させることにより、操作パネル２０を本体フレーム１１に固定する。なお、一対のネジ用穴２６は、蓋２７によって覆われる位置に配置され、外観を損なわない構成となっている（図１（ａ）は、蓋２７を取り外した状態を示している）。
【００１４】
本体フレーム１１の操作パネル取り付け面は、ラベルの貼付面に対して垂直な面であり、図２を参照すると、操作パネル２０のフック２４および位置決めリブ２５が係合される位置決め用開口４として、位置決め用開口４ａ〜４ｄが形成され、操作パネル２０のネジ用穴２６を貫通したネジを螺入させるタップ５として、タップ５ａ〜５ｄが形成され、操作パネル２０からのケーブルが貫通するケーブル貫通用開口６が形成されている。
【００１５】
次に、本実施の形態の取り付け動作について図３を参照して詳細に説明する。
図３は、本発明に係るラベル貼付装置の実施の形態の配置状況に応じた操作パネルの向きを示す説明図である。
【００１６】
本実施の形態のラベル貼付装置１０においては、本体フレーム１１の貼付面に対して垂直な面に操作パネル２０を取り付けるに際し、操作パネル２０を通常位置と、通常位置から右に９０°回転させた状態と、通常位置から左に９０°回転させた状態と、通常位置から１８０°回転させた状態との４つの状態で本体フレーム１１に取り付けることができる構成になっている。以下、それぞれの状態での操作パネル２０の取り付け方法について説明する。
【００１７】
一対のフック２４を位置決め用開口４ａに引っ掛けて係合させ、一対の位置決めリブ２５を位置決め用開口４ｃに係合させることで操作パネル２０を位置決めし、一対のネジ用穴２６を貫通させたそれぞれのネジをタップ５ａおよび５ｂにそれぞれ螺入させることで、図３（ａ）に示すように、操作パネル２０を通常位置で取り付けることができる。なお、図３（ａ）は、搬送手段の上方に配置されたラベル貼付装置１０を側方から見た状態を示す。
【００１８】
一対のフック２４を位置決め用開口４ｂに引っ掛けて係合させ、一対の位置決めリブ２５を位置決め用開口４ｄに係合させることで操作パネル２０を位置決めし、一対のネジ用穴２６を貫通させたそれぞれのネジをタップ５ｂおよび５ｃにそれぞれ螺入させることで、操作パネル２０を通常位置から右に９０°回転させた状態で取り付けることができ、図３（ｂ）に示すように、ラベル貼付装置１０を被貼付物２の側面に左に９０°回転させて配置した場合にも、操作パネル２０の上下が正しい向きになる。なお、図３（ｂ）は、搬送手段の側方に配置されたラベル貼付装置１０を側方から見た状態を示す。
【００１９】
一対のフック２４を位置決め用開口４ｃに引っ掛けて係合させ、一対の位置決めリブ２５を位置決め用開口４ａに係合させることで操作パネル２０を位置決めし、一対のネジ用穴２６を貫通させたそれぞれのネジをタップ５ｃおよび５ｄにそれぞれ螺入させることで、操作パネル２０を通常位置から１８０°回転させた状態で取り付けることができ、図３（ｃ）に示すように、ラベル貼付装置１０を被貼付物２の側面に寝かせた状態で配置した場合にも、操作者が上方から操作パネル２０を見たときに、操作パネル２０の上下が正しい向きになる。なお、図３（ｃ）は、搬送手段の側方に配置されたラベル貼付装置１０を上方から見た状態を示す。
【００２０】
一対のフック２４を位置決め用開口４ｄに引っ掛けて係合させ、一対の位置決めリブ２５を位置決め用開口４ｂに係合させることで操作パネル２０を位置決めし、一対のネジ用穴２６を貫通させたそれぞれのネジをタップ５ｄおよび５ａにそれぞれ螺入させることで、操作パネル２０を通常位置から左に９０°回転させた状態で取り付けることができ、図３（ｄ）に示すように、ラベル貼付装置１０を被貼付物２の側面に右に９０°回転させて配置した場合にも、操作パネル２０の上下が正しい向きになる。なお、図３（ｄ）は、搬送手段の側方に配置されたラベル貼付装置１０を側方から見た状態を示す。
【００２１】
以上説明したように、本実施の形態によれば、ラベルの貼付面に対して垂直な操作パネル取り付け面に操作パネル２０を複数の異なる方向のいずれかに位置決めして固定できるように構成することにより、ラベルの貼付面に対して垂直な面に取り付けられている操作パネル２０の向きをラベル貼付装置１０の配置状況に応じて適宜変更することができるため、操作者による操作パネル２０の確認および操作が容易になるという効果を奏する。
【００２２】
さらに、本実施の形態によれば、ラベルの貼付面に対して垂直な操作パネル取り付け面への操作パネル２０の固定を、ネジによって行うように構成することにより、ラベルを被貼付物に貼付する際に振動が生じても、操作パネルを確実に保持することができ、また、操作パネル２０に形成されたネジ用穴２６を、蓋２７によって覆われる位置に配置することにより、ネジが露出せず、外観を損なうことがないという効果を奏する。
【００２３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【００２４】
【発明の効果】
本発明のラベル貼付装置は、ラベルの貼付面に対して垂直な操作パネル取り付け面に操作パネルを複数の異なる方向のいずれかに位置決めしてそれぞれ固定できるように構成することにより、ラベルの貼付面に対して垂直な面に取り付けられている操作パネルの向きを配置状況に応じて適宜変更することができるため、操作者による操作パネルの確認および操作が容易になるという効果を奏する。
【００２５】
さらに、本発明のラベル貼付装置は、ラベルの貼付面に対して垂直な操作パネル取り付け面への操作パネルの固定を、ネジによって行うように構成することにより、ラベルを被貼付物に貼付する際に振動が生じても、操作パネルを確実に保持することができ、また、操作パネルに形成されたネジ用穴を、蓋によって覆われる位置に配置することにより、ネジが露出せず、外観を損なうことがないという効果を奏する。
【図面の簡単な説明】
【図１】本発明に係るラベル貼付装置の実施の形態の操作パネルの構成を示す図であり、（ａ）は、正面図であり、（ｂ）は、（ａ）に示すＸ−Ｙ断面図である。
【図２】本発明に係るラベル貼付装置の実施の形態の操作パネル取り付け面の構成を示す図である。
【図３】本発明に係るラベル貼付装置の実施の形態の配置状況に応じた操作パネルの向きを示す説明図である。
【図４】ラベル貼付装置の外観構成を示す斜視図である。
【図５】従来のラベル貼付装置の配置状況に応じた操作パネルの向きを示す説明図である。
【符号の説明】
１  従来のラベル貼付装置
２  被貼付物
３  搬送手段
４、４ａ〜４ｄ  位置決め用開口
５、５ａ〜５ｄ  タップ
６  ケーブル貫通用開口
１０  ラベル貼付装置（本実施の形態）
１１  本体フレーム
１２  供給軸
１３  プリンタ部
１４  台紙巻き取り軸
１５  ラベル貼付機構
１６  操作パネル
２０  操作パネル
２１  表示部
２２  第１の操作ボタン群
２３  第２の操作ボタン群
２４  フック
２５  位置決めリブ
２６  ネジ用穴
【図１】
2004352256.tif 000003
【図２】
2004352256.tif 000004
【図３】
2004352256.tif 000005
【図４】
2004352256.tif 000006
【図５】
2004352256.tif 000007